(57)【特許請求の範囲】
【請求項１】
ネイル硬化器において、
バッテリーが外部に離脱されることを防止し、全体的な外部形状を成す上側カバーと、充電式バッテリーが収納されるバッテリー収納部が形成され、内側には複数の紫外線ＬＥＤが設置される回路基板が内装される上側本体と、紫外線を下方へ放出することができるように、複数の発光孔が形成されている上側本体板とを含んでなる上側部材と；
左右にドアを開閉することができるように開放部が形成され、前記開放部の両側にはロッキング部が挿入されて上側に突出されることができるように切開部が備えられたテーブルと、前記ドアが安着されるドア設置部が備えられて、テーブルの下側と結合される下側カバーとを含んでなる下側部材と；で構成されることを特徴とする携帯用ネイル硬化器。
【請求項２】
前記上側本体板の両側底面には折畳式足の上側が回動可能に結合される上側ヒンジ部が形成され、前記テーブルの両側上面には折畳式足の下側が回動可能に結合される下側ヒンジ部が形成され、
上側本体のオープンボタンが押されると、作動軸が前進して先端に備えられたヘッドによって作動ピンを両方向に押し、前記作動ピンが係止リングを回動させてロッキング部を解除すると、折畳式足がトーションスプリングの弾性力によって上側部材を昇降させることを特徴とする請求項１に記載の携帯用ネイル硬化器。
【請求項３】
前記作動ピンはオープンボタンを押すことによって移動する作動軸の先端に形成された三角形のヘッド傾斜面に密着されて移動することを特徴とする請求項２に記載の携帯用ネイル硬化器。
【請求項４】
前記上側部材及び下側部材はハウジングに形成された結合空間に結合されて充電ポートによってバッテリーを充電し、前記結合空間の下側には手挿入空間が形成されることを特徴とする請求項１に記載の携帯用ネイル硬化器。
【発明の詳細な説明】
【技術分野】
【０００１】
本発明は紫外線を利用したネイル硬化器に関するもので、より詳しくは、紫外線ＬＥＤを利用して大きさを縮小し、バッテリーを使って携帯することができ、硬化物質を塗った手や足の爪に紫外線を発光して、乾燥によって硬化する携帯用ネイル硬化器に関するものである。
【背景技術】
【０００２】
一般に、ネイル用紫外線硬化器はボックス型の構造物の内部に複数の紫外線ランプを設置し、点灯した後、その中に硬化物質を塗った爪を挿入することで紫外線によって乾燥して硬化する装置である。 
【０００３】
しかし、このような従来の紫外線硬化器は、紫外線ランプの特性上、嵩が大きくて携帯が不便であるとともに、指を挿入することができる空間の大きさが一定していて多様に活用することができないという問題点があった。
【発明の概要】
【発明が解決しようとする課題】
【０００４】
本発明は上記のような問題点を解決するために創出されたもので、紫外線ＬＥＤを用いて製品の大きさを最小化することによって、携帯性及び装飾性を高めるとともに、折畳式足構造を採用することによって、紫外線の発光距離及び空間を任意に調節することができる携帯用ネイル硬化器を提供することにその目的がある。
【課題を解決するための手段】
【０００５】
本発明による携帯用ネイル硬化器は、バッテリーが外部に離脱されることを防止し、全体的な外部形状を成す上側カバーと、充電式バッテリーが収納されるバッテリー収納部が形成されており、内側には複数の紫外線ＬＥＤが設置される回路基板が内装される上側本体と、紫外線を下方へ放出することができるように、複数の発光孔が形成されている上側本体板とを含んでなる上側部材と；左右にドアを開閉することができるように開放部が形成され、上記開放部の両側にはロッキング部が挿入されて、上側に突出されることができるように切開部が備えられたテーブルと、上記ドアが安着されるドア設置部が備えられて、テーブルの下側と結合される下側カバーとを含んでなる下側部材とで構成されることをその技術的特徴とする。
【０００６】
本発明による携帯用ネイル硬化器によれば、携帯電話の形状にデザインされて、携帯性及び装飾性が優れているとともに、上側部材をボタン及びスプリングの弾性力によって簡単に操作して上昇させることによって使用上の便利性を向上させた。 
【０００７】
また、多数の指を一度に硬化しようとする際には、上側部材を折ってドアを開放することによって紫外線の発光距離及び空間を任意に調節することもできるという效果を奏する。
【図面の簡単な説明】
【０００８】
【図１】本発明の携帯用ネイル硬化器を示す分解斜視図である。
【図２】本発明の携帯用ネイル硬化器を示す斜視図である。
【図３】本発明の携帯用ネイル硬化器を示す底面斜視図である。
【図４】本発明の携帯用ネイル硬化器の使用状態図である。
【図５】図４の側面図である。
【図６】本発明による上側本体の内部構成を示す斜視図である。
【図７】図６の底面図である。
【図８】本発明による携帯用ネイル硬化器の作動過程を示すブロック図である。
【図９】本発明の他の実施例を示した側断面図である。
【発明を実施するための形態】
【０００９】
本発明の望ましい実施例を添付された図面を通じて詳しく説明する。
【００１０】
本発明の携帯用ネイル硬化器は、図１に示すように、上側部材１００と下側部材１００とで構成される。 
【００１１】
まず、上側部材１００は結合されたバッテリー（図示しない）が外部に離脱されることを防止し、全体的な外部形状を成す上側カバー１０と、電気的構成要素及び機構的構成要素が設置される上側本体２０と、紫外線ＬＥＤと複数の電気素子が設置される回路基板２４と、上側本体板３０とを含んで構成される。 
【００１２】
この時、上記上側本体２０の上側部には充電式バッテリーが収納されるバッテリー収納部２３が形成され、内側には紫外線が発光される回路基板２４が設置され、下側に上側本体板３０が結合される。 
【００１３】
また、上記上側本体板３０には紫外線を下方に放出することができるように複数の発光孔３１が形成され、両側角部の底面には後述する折畳式足の上側が回動可能に結合される上側ヒンジ部３２が形成されている。 
【００１４】
一方、上記下側部材２００は指を安着させるテーブル７０と、開閉可能なドア８３と、下側カバー８０とを含んで構成される。 
【００１５】
この時、上記テーブル７０の中央部にはドア８３を開閉することができるように開放部７１が形成され、上記開放部７１の両側にはロッキング部８２が挿入されて上側に突出されることができるように切開部７２が形成され、上記切開部７２の前後には後述する折畳式足の下側が回動可能に結合される下側ヒンジ部７３が形成されている。 
【００１６】
また、上記テーブル７０の下側には下側カバー８０が結合され、上記下側カバー８０のドア設置部８１にはドア８３が左右に開閉されることができるように結合され、上記ドア設置部８１と間隔を隔てて両側にはロッキング部８２が形成されている。 
【００１７】
このように構成された本発明による携帯用ネイル硬化器は、携帯電話の形状にデザインされ、活用性を高めることができるように、畳んだり広げることができる構造に形成される。 
【００１８】
畳まれた状態での本発明は、図２に示すように、上側には上側カバー１０が結合され、前面には後述する上側部材と下側部材を所定距離離隔させるオープンボタン２１と、多様な制御動作を選択する機能ボタン２１ａと、電源状態を表示する電源表示灯２１ｂと、充電状態を表示する充電表示灯２４ｃ及び動作状態を表示する動作表示灯２４ｉが備えられて、使用環境及び目的によってより紫外線ＬＥＤによって效率的に手や足の爪に塗られたマニキュアをより効率的に硬化することができる。 
【００１９】
この時、携帯用ネイル硬化器の底面には、図３に示すように、中央部にドア設置部８１が形成された下側カバー８０が結合されており、上記ドア設置部８１には左右に開閉されることができる一対のドア８３が備えられている。（内部の構成を現わすために一方のドアを分離して示す） 
【００２０】
上記ドア８３を開放すると複数の発光孔３１が現われ、この発光孔３１を通じて内部に設置された紫外線ＬＥＤを通じて紫外線が放出されて、爪に塗られた硬化物質を乾燥して硬化させる。 
【００２１】
本発明の背面には電源線を連結して着脱可能に結合されたバッテリーを充電することができる充電ジャック２２が備えられている。 
【００２２】
本発明は使用環境によって広げたり畳む動作を行って、より效率的に使用することができるように、図４及び図５に示すように、上側部材１００と下側部材２００との間に折畳式足６０が結合されている。 
【００２３】
即ち、上記折畳式足６０を利用して下側部材２００に結合されている上側部材１００を上昇させることによって、上側部材１００と下側部材２００との間、即ちテーブル７０の上に指を挿入して爪を硬化することもできる。この時、上記テーブル７０の中央部のドア８３は閉まった状態を保持し、紫外線は上側本体２０の底面からテーブル７０側に放出され、複数の表示ＬＥＤ２１ｂを点灯または点滅することによって、硬化装置の現在の動作状態を知らせる。 
【００２４】
この時、上側部材１００を成す上側本体２０は折畳式足６０が畳まれた時はロッキング部８２によって固定され、上記ロッキング部８２から上側本体２０が解除されると、トーションスプリング６１の弾性力によって折畳式足６０が広がりながら上側本体２０が上昇する構造である。 
【００２５】
そして、上記上側部材１００と下側部材２００とを結合した状態で使うためには、ドア８３を開放して紫外線が開放部７１を通じて下方に放出されるようにする。 
【００２６】
一方、上記上側本体２０の内側には、図６に示すように、オープンボタン２１と連結された作動軸４０が結合され、上記作動軸４０の先端には三角形のヘッド４１が形成される。 
【００２７】
上記作動軸４０は使用者がオープンボタン２１を押すことによって移動し、圧縮スプリング４２の弾性力によって復帰するように構成される。上記ヘッド４１の両側には作動ピン４３の先端が密着される。 
【００２８】
上記作動ピン４３の他端は係止リング５０に形成された密着部５２に密着され、上記係止リング５０の前後には上側本体２０に回動可能に結合された軸部５１が形成されている。 
【００２９】
上記係止リング５０には圧縮スプリング５４の先端が設置される突起部５３が形成され、上記圧縮スプリング５４の他端は、図７に示すように、複数の紫外線ＬＥＤ２５が備えられた回路基板２４または上側本体板３０に密着されて係止リング５０に弾性力を付与する。 
【００３０】
このように構成された本発明の携帯用ネイル硬化器は、普段は係止リング５０がロッキング部８２に固定されていて、折畳式足６０が畳まれた状態を保持し、オープンボタン２１を押すと上側部材１００が上昇する。 
【００３１】
即ち、オープンボタン２１を押すと作動軸４０が移動してヘッド４１の両側傾斜面に密着された作動ピン４３の先端を離隔させ、上記作動ピン４３が離隔されながら密着部５２に密着された他端は係止リング５０を回動させる。 
【００３２】
従って、係止リング５０がロッキング部８２から離脱されると、トーションスプリング６１の弾性力によって折畳式足６０が広がり、それによって上側部材１００が上昇する。
【００３３】
そして、上側部材１００を下方に押すと、係止リング５０が圧縮スプリング５４の弾性力によってロッキング部８２に固定され、作動軸４０及びオープンボタン２１は圧縮スプリング４２によって復帰する。 
【００３４】
一方、本発明による携帯用ネイル硬化器は、内部に挿入されて装着されるバッテリーまたは外部の電源によって動作され、電気的制御動作は本発明が属する分野において公知技術であるので、以下では各構成素子の動作関係を簡略に説明する。 
【００３５】
図８に示すように、本発明は携帯性に基本目的があるので、リチウムイオン方式のバッテリーが着脱可能に結合されて電源を供給、バッテリーを充電するために、別途の充電ジャック２２が備えられ、複数の電気的素子が回路基板２４に装着される。 
【００３６】
即ち、外部から供給された電源が充電ジャック２２を通じて充電部２４ｂに伝達されると、上記充電部２４ｂでは充電表示灯２４ｃが点灯されながらバッテリー２４ｄを充電させる。この時、本発明の一実施例として、充電表示灯２４ｃは、充電中の場合点灯、充電完了の場合消灯、バッテリー未結合の場合点滅などの状態を現わし、上記充電ジャックは互換性を高めるために、スマートフォンで用いられるマイクロＵＳＢジャックからなることが好ましい。 
【００３７】
上記バッテリー２４ｄの電源はレギュレーター２４ｅを通じて安定的な電源に変換されてエムシユ（ＭＣＵ）２４ａに伝達され、上記エムシユ２４ａでは機能ボタン２１ａの動作信号が伝達されると、ＬＥＤ制御部２４ｆとＰＷＭコントロール部２４ｇを通じて複数の紫外線ＬＥＤ２５が点灯され、動作状態を外部に表出するために動作表示灯２４ｉが点灯される。上記スィッチの動作信号は紫外線による硬化時間を考慮して設計段階で動作信号の長続き時間が３０秒、４５秒、６０秒など多様な設定が可能に構成されている。 
【００３８】
一方、上記ＬＥＤ制御部２４ｆの制御信号はバッテリー監視部２４ｈにも伝達され、上記バッテリー監視部２４ｈではバッテリー２４ｄが低電圧状態である場合、エムシユ２４ａに制御信号を伝達して動作表示灯２４ｉが消灯または点滅されるなどのエラー状況を表出する。 
【００３９】
上記ＰＷＭコントロール部２４ｇでは、使用状態によってバッテリーの電圧が変動されても出力電圧及び電流を一定に維持させ、上記エムシユ２４ａでは機能ボタン２１ａの制御信号とレギュレーター２５ａの動作をフィードバック制御して機能ボタン２１ａの制御信号を通じて伝達された設定時間の間だけＬＥＤ制御部２４ｆを動作させる。 
【００４０】
このような本発明の携帯用ネイル硬化器は携帯電話の形状にデザインされて、携帯性及び装飾性が優れるとともに、上側部材１００をオープンボタン２１及びスプリングの弾性力によって簡単に操作して上昇させることによって便利に使うことができる。 
【００４１】
また、多数の指を一度に硬化しようとする場合には、上側部材１００を折ってドア８３を開放することによって紫外線の発光距離及び空間を任意に調節することもできる。 
【００４２】
本発明の他の実施例として、図９に示すように、携帯用ネイル硬化器をハウジング９０に結合して多数のネイルを硬化しながら充電を同時に行うこともできる。 
【００４３】
このために、上記ハウジング９０の上端部の内側には本発明が挿入されることができるように結合空間９１が形成され、上記結合空間９１の内側には充電ジャック２２に結合されてバッテリーに電源を供給する充電ポート９２が備えられている。 
【００４４】
上記結合空間９１の下側には手挿入空間９３が形成され、ハウジング９０の背面にはコンセントに連結する電源線９４が備えられている。 
【００４５】
上記のような本発明は上述した特定実施例に限定されないで、特許請求の範囲で請求する本発明の要旨を逸脱することなく、本発明が属する分野において通常の知識を有する者であれば誰でも多様に変更して実施することができる。
【符号の説明】
【００４６】
１０：上側カバー
２０：上側本体 
２１：オープンボタン
２１ａ：機能ボタン 
２１ｂ：電源表示灯
２２：充電ジャック 
２３：バッテリー収納部
２４：回路基板 
２４ａ：エムシユ（ＭＣＵ）
２４ｂ：充電部 
２４ｃ：充電表示灯
２４ｄ：バッテリー 
２４ｅ：レギュレーター
２４ｆ：ＬＥＤ制御部 
２４ｇ：ＰＷＭコントロール部
２４ｈ：バッテリー監視部 
２４ｉ：動作表示灯
２５：紫外線ＬＥＤ 
３０：上側本体板
３１：発光孔 
３２：上側ヒンジ部
４０：作動軸 
４１：ヘッド
４２、５４：圧縮スプリング 
４３：作動ピン
５０：係止リング 
５１：軸部
５２：密着部 
５３：突起部
６０：折畳式足 
６１：トーションスプリング
７０：テーブル 
７１：開放部
７２：切開部 
７３：下側ヒンジ部
８０：下側カバー 
８１：ドア設置部
８２：ロッキング部 
８３：ドア  
９０：ハウジング 
９１：結合空間
９２：充電ポート 
９３：手挿入空間
９４：電源線 
１００：上側部材
２００：下側部材
【図１】
0006025003.tif 000002
【図２】
0006025003.tif 000003
【図３】
0006025003.tif 000004
【図４】
0006025003.tif 000005
【図５】
0006025003.tif 000006
【図６】
0006025003.tif 000007
【図７】
0006025003.tif 000008
【図８】
0006025003.tif 000009
【図９】
0006025003.tif 000010